(57)【要約】【課題】従来施設においてＢＯＤ負荷が上がっても放流水の水質を良好に保つことができ、処理能力を上げることができる有機性排水の処理方法を提供する。【解決手段】有機性排水を活性汚泥法を用いて処理する方法において、塩基性化合物を添加する工程を有する有機性排水の処理方法。【選択図】      なし【特許請求の範囲】
【請求項１】
有機性排水を活性汚泥法を用いて処理する方法において、塩基性化合物を添加する工程を有することを特徴とする有機性排水の処理方法。
【請求項２】
前記塩基性化合物の添加量が、生物処理工程中にあるばっ気槽容量に対して１０μｍｏｌ／ｌ〜１０ｍｍｏｌ／ｌであることを特徴とする請求項１に記載の有機性排水の処理方法。
【請求項３】
前記塩基性化合物が、水酸化カリウム、炭酸ナトリウム、炭酸カリウム、次亜塩素酸ナトリウムから選ばれる少なくとも１種であることを特徴とする請求項１または２に記載の有機性排水の処理方法。
【請求項４】
前記塩基性化合物を添加する工程が、塩基性化合物を生物処理工程中にあるばっ気槽、返送汚泥の少なくとも一方に添加する工程であることを特徴とする請求項１乃至３のいずれかに記載の有機性排水の処理方法。
【発明の詳細な説明】
【０００１】
【発明の属する技術分野】
本発明は、生活系排水、畜産排水、水産加工排水又は各種産業排水などの有機性排水の処理方法に関するものである。更に詳しくは、活性汚泥の浄化能力を向上させる方法に関するものである。
【０００２】
【従来の技術】
従来、有機性排水の生物化学的処理方法として、浮遊生物法及び生物膜法が採用されている。それらの処理形態には各種あるが、浮遊生物法のうちの代表的な処理工程を図２に示す。有機性排水１は、管路を経由して前処理工程２に導入され、生物処理工程３を経て沈殿槽４で余剰汚泥１０と上澄み液９に分離される。余剰汚泥１０の一部は生物処理工程３中にあるばっ気槽の活性汚泥濃度を保持するために返送汚泥工程８によりばっ気槽に返送される。残りの余剰汚泥１０は、濃縮槽６で濃縮されて貯留槽７に移され、ここから処理場外へと搬出されている。一方、沈殿槽４にて余剰汚泥１０と分離された上澄み液９は消毒槽５で消毒されて放出される。浮遊生物法のうち一般的に知られている活性汚泥法には標準法、ステップエアレーション法、長時間法等がある（例えば、非特許文献１参照）。
【０００３】
しかしながら、近年、家庭から排出される生ゴミをディスポーザーにより破砕し、排水へ投入する方法も一部行われており、この場合ＢＯＤ負荷が上がることによる処理水質の悪化が懸念されている。また、都市部以外の地方では年末年始など人の急増によって、前記ＢＯＤ負荷の処理計画値を超えてしまうことがあり、しばしば処理水質が悪化することがある。このように、処理場に流入した排水が完全に処理されない状態で放流し続けると、河川や海を汚染してしまい、悪臭の発生源となったり、赤潮を引き起こす原因となる。
【０００４】
このように、従来の活性汚泥法では必ずしも処理能力が十分でないことが問題であった。
【０００５】
【非特許文献１】
「農業集落排水処理施設維持管理マニュアル  日本農業集落排水協会−ＸＩＶ型編」、社団法人日本農業集落排水協会、平成９年度、ｐ．１６−１９
【０００６】
【発明が解決しようとする課題】
本発明は、以上のような問題点に鑑みなされたものであり、その目的は、従来施設において前記ＢＯＤ負荷が上がっても放流水の水質を良好に保つことができ、処理能力を上げることができる有機性排水の処理方法を提供することである。
【０００７】
【課題を解決するための手段】
以上のような状況に鑑み、種々研究を重ねた結果、本発明者は、塩基性化合物を有機性排水の処理工程中に添加することによって処理能力が向上することを見出し、本発明を完成させた。
【０００８】
すなわち、本発明は、有機性排水を活性汚泥法を用いて処理する工程において、塩基性化合物を添加する工程を有することを特徴とする。
【０００９】
本発明においては、前記塩基性化合物の添加量が、生物処理工程中にあるばっ気槽容量に対して１０μｍｏｌ／ｌ〜１０ｍｍｏｌ／ｌであることが好ましく、前記塩基性化合物が、水酸化カリウム、炭酸ナトリウム、炭酸カリウム、次亜塩素酸ナトリウムから選ばれる少なくとも１種であることが好ましく、前記塩基性化合物を添加する工程が、塩基性化合物を生物処理工程中にあるばっ気槽、返送汚泥の少なくとも一方に添加する工程であることが好ましい。
【００１０】
【発明の実施の形態】
本発明では、塩基性化合物は有機性排水処理の工程中に添加されるのである。
【００１１】
塩基性化合物の添加は、図２に示される前処理工程２、生物処理工程３、沈殿工程（沈殿槽４）等いずれの工程で行ってもよいが、有機性排水１は生物処理工程３において微生物により酸化処理され、塩基性化合物はこの過程においてより効果的に作用することから、好ましくは生物処理工程３であるばっ気槽、沈殿槽４からばっ気槽へ移送される返送汚泥の少なくとも一方に添加するのが好ましい。
【００１２】
塩基性化合物の添加量は、塩基性化合物のアルカリ度と排水種や排水中のＢＯＤとばっ気槽中の活性汚泥濃度、活性汚泥の活性状態によって異なるため、用いる塩基性化合物のアルカリ度と処理すべき排水の排水種、ＢＯＤ−ＳＳ負荷、ＢＯＤ−容積負荷、呼吸活性等からその最適濃度を決定することが好ましいが、ばっ気槽容量に対して１０μｍｏｌ／ｌ〜１０ｍｍｏｌ／ｌ程度となるように添加するのが好ましく、更に好適には１００μｍｏｌ／ｌ〜１ｍｍｏｌ／ｌである。１０μｍｏｌ／ｌより高い濃度で排水処理能力の向上に効果が見られ、処理水のｐＨの上昇を防ぎ、且つ、活性汚泥の分解剤とならないようにするためには１０ｍｍｏｌ／ｌより低い濃度が好ましい。尚、多量の添加で活性汚泥に対する分解剤となってしまうと、放流水のＢＯＤ、ＣＯＤ濃度が高くなり、水質が悪化する恐れがある。
【００１３】
塩基性化合物としては、水酸化カリウム、炭酸ナトリウム、炭酸カリウム、次亜塩素酸ナトリウムが好ましく、これらのうちでも水酸化カリウムが特に好ましく、各々単独で使用しても併用しても良い。
【００１４】
塩基性化合物の添加方法は特に限定されないが、添加時の局部的なｐＨの上昇を避けるため１０ｍｍｏｌ／ｌ〜１０００ｍｍｏｌ／ｌに希釈した水溶液を使用するのが好ましい。
【００１５】
本発明の詳細な作用機構は明らかでないが、塩基性化合物が活性汚泥中のバクテリアに吸着したポリマーを脱着し、その結果微生物細胞と排水中の有機汚濁物質との接触率が向上し、従来に比較して活性汚泥中のバクテリアの酸化能力が高まるので排水の浄化能力が向上するものと思われる。
【００１６】
【実施例】
以下、本発明の実施例を説明するが、本発明はこれらの実施例に限定されるものではない。
【００１７】
＜実施例１〜９、比較例１＞
有機性排水は処理工程中のばっ気槽で活性汚泥中の微生物により酸化処理される。言い換えれば、有機性排水は活性汚泥の栄養源としてばっ気槽へ投入され、処理されるのである。よって、ここでは三角フラスコをばっ気槽に見立て、有機性排水の処理を行った。
【００１８】
２００ｍｌの三角フラスコに、肉エキス、ポリペプトン、尿素、Ｎａ２ＨＰＯ４、ＮａＣｌ、ＫＣｌ、ＣａＣｌ２、ＭｇＳＯ４からなる有機性排水（ＢＯＤ７２０ｍｇ／ｌ）１０ｍｌに、予め２日間馴養した活性汚泥（１６５００ｍｇ／ｌ）を２０ｍｌ加え、塩基性化合物が表１に示す濃度となるように、表１に示す塩基性化合物の水溶液を添加し、１００ｍｌとなるように蒸留水でメスアップし、２０℃、１３０ｒｐｍの条件下でそれぞれ２，４，６，８時間回転振とう培養を行った。
【００１９】
各培養時間後の活性汚泥液を遠心分離し、その上澄み液のＢＯＤをＪＩＳに記載の電極法によってＢＯＤを測定した。結果を表１に、実施例１〜４，比較例１については更に図１に示す。
【００２０】
【表１】
2004255297.tif 000002
【００２１】
表１より、塩基性化合物を添加した場合、特に１０μｍｏｌ／ｌ〜１０ｍｍｏｌ／ｌの塩基性化合物を添加した場合には、塩基性化合物を添加しない場合に比べ、ＢＯＤの低下が早く浄化能力が高いことがわかる。また図１に示すように、特に水酸化カリウムが５００μｍｏｌ／ｌの時（実施例３）に排水浄化速度が早くなっていた。
【００２２】
【発明の効果】
本発明を利用した有機性排水の処理方法によれば、従来施設のままＢＯＤ負荷が上がっても放流水の水質を良好に保つことができ、処理効率があがるので処理時間の短縮化や処理場の小規模化が図れる。その結果、既設の処理場では計画流入汚水量を超えても汚水は良好に処理され、新規に処理場を建設する場合にはコストが大きく削減される。
【図面の簡単な説明】
【図１】実施例における培養時間とＢＯＤの関係を示したグラフである。
【図２】一般的な有機性排水の処理フローを示したものである。
【符号の説明】
１  有機性排水
２  前処理工程
３  生物処理工程
４  沈殿槽
５  消毒槽
６  濃縮槽
７  貯留槽
８  返送汚泥工程
９  上澄み液
１０  余剰汚泥
【図１】
2004255297.tif 000003
【図２】
2004255297.tif 000004